(57)【要約】【課題】本発明は、配線形態の柔軟性を向上して工事コストの低減に寄与することができる光ドロップケーブルを提供することにある。【解決手段】複数の素線又はテープ心線からなる光ファイバ１３−１，１３−２、１５−１，１５−２、１７−１，１７−２、１９−１，１９−２を準備しておく。次いで、これらの光ファイバ１３−１，１３−２、１５−１，１５−２、１７−１，１７−２、１９−１，１９−２をセパレータ２５の略十字形状の隔壁２５ａ〜２５ｄがなす空隙２７ａ〜２７ｄに配置する。ケーブルシース２１には、収納部２３の中央部を２分割するための分割位置を示す略Ｖ字形状のノッチ部３１，３３を設ける。【選択図】　　　図１
2004101625.tif 000002
【特許請求の範囲】
【請求項１】
複数の素線又はテープ心線からなる光ファイバと、
略十字形状の隔壁がなす空隙に前記光ファイバを配置するセパレータと、
前記光ファイバを配置したセパレータを収納する収納部の中央部を２分割するための分割位置を示す略Ｖ字形状のノッチ部を設けた長尺形状のケーブルシースと、
前記ケーブルシースの収納部の近傍に設けられ伸長方向の張力を吸収する抗張力体とを備えたことを特徴とする光ドロップケーブル。
【請求項２】
複数の素線又はテープ心線からなる光ファイバと、
略一字形状の隔壁がなす空隙に前記光ファイバを配置するセパレータと、
前記光ファイバを配置したセパレータを収納する収納部の中央部を２分割するための分割位置を示す略Ｖ字形状のノッチ部を設けた長尺形状のケーブルシースと、
前記ケーブルシースの収納部の近傍に設けられ伸長方向の張力を吸収する抗張力体とを備えたことを特徴とする光ドロップケーブル。
【請求項３】
前記ケーブルシースの短面に接続して前記光ファイバを支持する支持線とを備えたことを特徴とする請求項１又は２記載の光ドロップケーブル。
【請求項４】
前記光ファイバに縦添えする緩衝層を有し、
前記光ファイバと緩衝層とを一体にして前記収納部に収納することを特徴とする請求項１又は２記載の光ドロップケーブル。
【発明の詳細な説明】
【０００１】
【発明の属する技術分野】
本発明は、光ファイバネットワークの支線系に接続されているクロージャから例えば集合住宅の構内に引き落とすためのドロップケーブルに関し、特に、配線形態の柔軟性を向上して工事コストの低減に寄与することができる光ドロップケーブルに関する。
【０００２】
【従来の技術】
近年、高度情報通信社会の推進に向けて、ＦＴＴＨ（Ｆｉｂｅｒ　ｔｏ　ｔｈｅ　Ｈｏｍｅ）が提唱されている。このＦＴＴＨは、個々の家庭まで光ファイバを引き込んで、電話、コンピュータ通信、ＣＡＴＶ（ケーブル・テレビや光ネットワークの配線方法）などの通信サービスを統合して提供するネットワークであり、電話局の末端にリモート端末を設置しておき、そのリモート端末から幹線系の光ケーブルを敷設し、幹線上に設けられたクロージャから各家庭や集合住宅に光ドロップケーブルを敷設するものである。
【０００３】
従来の光ドロップケーブルは、例えば特開２０００−１７１６７３に記載されているような１心または２心ケーブルであり、支線系に接続されているクロージャから例えば集合住宅に設けられた光成端箱にこの光ドロップケーブルを引き込み、さらに、光成端箱を経由して光ドロップケーブルを例えば集合住宅の各家庭に設けられたローゼットまで配線するものである。
【０００４】
詳しくは、図９に示すように、従来の光ドロップケーブル１０１は、１心の素線又は２心のテープ心線からなる光ファイバ１０３が長尺形状のケーブルシース１０７に設けられた収納部１０５に収納されており、ケーブルシース１０７の収納部１０５の近傍に伸長方向の張力を吸収する抗張力体１０９が設けられている。さらに、ケーブルシース１０７の短尺面（短面）に光ファイバ１０３を支持するテンションメンバ１１１がネック１１３とともに一体成形されている。
【０００５】
【発明が解決しようとする課題】
しかしながら、上述した従来の光ドロップケーブルは、その心数が１心または２心であるため、１本の光ドロップケーブルから１つの家庭にしか引き落としができない。このため、集合住宅などでは、戸数に見合っただけの光ドロップケーブルの条数が必要となる。
【０００６】
また、新規加入の都度、クロージャから各家庭のローゼットまで光ドロップケーブルを敷設する工事が必要になり、敷設工事の所要時間がかかるので、コスト上昇の要因になるといった問題があった。
【０００７】
さらに、従来の光ドロップケーブルは、側圧や曲げなどの外力により光ファイバに歪みが加わり、この光ファイバの歪みによって損失増加などの劣化を発生させるという問題もあった。
【０００８】
本発明は、上記に鑑みてなされたもので、その目的としては、配線形態の柔軟性を向上して工事コストの低減に寄与することができる光ドロップケーブルを提供することにある。
【０００９】
【課題を解決するための手段】
請求項１記載の発明は、上記課題を解決するため、複数の素線又はテープ心線からなる光ファイバと、略十字形状の隔壁がなす空隙に前記光ファイバを配置するセパレータと、前記光ファイバを配置したセパレータを収納する収納部の中央部を２分割するための分割位置を示す略Ｖ字形状のノッチ部を設けた長尺形状のケーブルシースと、前記ケーブルシースの収納部の近傍に設けられ伸長方向の張力を吸収する抗張力体とを備えたことを要旨とする。
【００１０】
請求項２記載の発明は、上記課題を解決するため、複数の素線又はテープ心線からなる光ファイバと、略一字形状の隔壁がなす空隙に前記光ファイバを配置するセパレータと、前記光ファイバを配置したセパレータを収納する収納部の中央部を２分割するための分割位置を示す略Ｖ字形状のノッチ部を設けた長尺形状のケーブルシースと、前記ケーブルシースの収納部の近傍に設けられ伸長方向の張力を吸収する抗張力体とを備えたことを要旨とする。
【００１１】
請求項３記載の発明は、上記課題を解決するため、前記ケーブルシースの短面に接続して前記光ファイバを支持する支持線とを備えたことを要旨とする。
【００１２】
請求項４記載の発明は、上記課題を解決するため、前記光ファイバに縦添えする緩衝層を有し、前記光ファイバと緩衝層とを一体にして前記収納部に収納することを要旨とする。
【００１３】
【発明の実施の形態】
以下、本発明の実施の形態を図面を参照して説明する。
（第１の実施の形態）
図１は、本発明の第１の実施の形態に係る光ドロップケーブル１１の構成を示す断面図である。
【００１４】
図１に示す光ドロップケーブル１１は、光ファイバ１３−１，１３−２、１５−１，１５−２、１７−１，１７−２、１９−１，１９−２、ケーブルシース２１、収納部２３、セパレータ２５、ノッチ部３１，３３、抗張力体３５，３７から構成されている。
【００１５】
ケーブルシース２１の断面中央には、断面円形の収納部２３が設けられ、この収納部２３にはセパレータ２５が収納されている。このセパレータ２５は、樹脂材としてポリエチレンからなり、略十字形状の隔壁２５ａ〜２５ｄがなす扇形状の空隙２７ａ〜２７ｄがそれぞれ形成される。
【００１６】
すなわち、セパレータ２５は、中心部から４方に放射状に延びる４つの隔壁２５ａ〜２５ｄにより略十字形状をなしており、それぞれ隣り合う隔壁は扇形状の空隙２７ａ〜２７ｄを形成している。なお、セパレータ２５は、隔壁２５ａ〜２５ｄにより略十字形状に形成されると記載したが、隔壁２５ａ〜２５ｄは隣り合う隔壁が直交又は交差しているものを含むこととする。
【００１７】
光ファイバ１３−１，１３−２、１５−１，１５−２、１７−１，１７−２、１９−１，１９−２は、１心の素線又は２心のテープ心線からなり、ケーブルシース２１に設けられた収納部２３において、セパレータ２５の空隙２７ａ〜２７ｄ内にそれぞれ２心ずつ収納配置される。
【００１８】
つまり、セパレータ２５の空隙２７ａ内には光ファイバ１３−１，１３−２が、空隙２７ｂ内には光ファイバ１５−１，１５−２が、空隙２７ｃ内には光ファイバ１７−１，１７−２が、そして空隙２７ｄ内には光ファイバ１９−１，１９−２がそれぞれ収納配置される。
【００１９】
ケーブルシース２１は、断面寸法が横５．９ｍｍ，縦２．６ｍｍの長尺形状で、低密度の難燃ポリエチレンからなり、収納部２３におけるセパレータ２５の各空隙２７ａ〜２７ｄ内に光ファイバ１３−１，１３−２、１５−１，１５−２、１７−１，１７−２、１９−１，１９−２をそれぞれ収納して被覆する。また、ケーブルシース２１は、その長尺面（以下、長面という。）２１ａに収納部２３に対して直交するように、収納部２３の中央部を２分割するための分割位置を示す略Ｖ字形状のノッチ部３１，３３を切欠き形成している。
【００２０】
さらに、ケーブルシース２１は、収納部２３の縦断面近傍であって、収納部２３と並列に伸長方向の張力を吸収する亜鉛めっきなどの防食処理が施された外径０．４ｍｍの鋼線からなる２本の抗張力体３５，３７をそれぞれ被覆している。なお、これらの抗張力体３５，３７は、上記のような０．４ｍｍの鋼線の代わりに、ガラスＦＲＰやケブラーなどのアラミド繊維を用いることも可能である。
【００２１】
次に、図１を参照して、光ドロップケーブル１１の作用効果について説明する。
まず、図１に示すように、複数の素線又はテープ心線からなる光ファイバ１３−１，１３−２、１５−１，１５−２、１７−１，１７−２、１９−１，１９−２を準備しておく。
【００２２】
次いで、セパレータ２５の略十字形状の隔壁２５ａ，２５ｂがなす空隙２７ａ内に光ファイバ１３−１，１３−２を、隔壁２５ｂ，２５ｃがなす空隙２７ｂ内に光ファイバ１５−１，１５−２を、隔壁２５ｃ，２５ｄがなす空隙２７ｃ内に光ファイバ１７−１，１７−２を、そして隔壁２５ｄ，２５ａがなす空隙２７ｄ内には光ファイバ１９−１，１９−２をそれぞれ収納配置する。
【００２３】
ケーブルシース２１には、収納部２３に対して直交する長面２１ａに、分割位置を示す略Ｖ字形状のノッチ部３１，３３が切欠き形成され、ケーブルシース２１の収納部２３の断面近傍にケーブルの伸長方向の張力を吸収する抗張力体３５，３７が設けられる。
【００２４】
このように本実施の形態では、収納部２３内においてセパレータ２５の空隙２７ａ〜２７ｄ内にそれぞれ２心ずつ光ファイバ１３−１，１３−２、１５−１，１５−２、１７−１，１７−２、１９−１，１９−２を収納配置して被覆し、また長面２１ｂに収納部２３に対して直交するように、収納部２３の中央部を２分割するための分割位置を示す略Ｖ字形状のノッチ部３１，３３を切欠き形成しているので、ノッチ部３１，３３を中心に↑↓方向に逆の力を加えてケーブルシース２１を引き裂いて２分割することにより、光ファイバ１３−１，１３−２、１５−１，１５−２、１７−１，１７−２、１９−１，１９−２を容易に取り出すことができる。
【００２５】
すなわち、ケーブルシース２１は、長面２１ａにおいてノッチ部３１，３３の切欠き方向に対して互いに逆方向にせん断力を加えることで、ケーブルシース２１を引き裂いて２分割することができる。
【００２６】
また、本実施の形態では、光ドロップケーブル１１を２分割しても、光ファイバ１３−１，１３−２、１５−１，１５−２、１７−１，１７−２、１９−１，１９−２が抗張力体３５，３７を有しているので、ケーブルの伸長方向の張力を吸収することができる。
【００２７】
さらに、本実施の形態では、ケーブルシース２１の収納部２３においてセパレータ２５の空隙２７ａ〜２７ｄ内にそれぞれ２心ずつ光ファイバ１３−１，１３−２、１５−１，１５−２、１７−１，１７−２、１９−１，１９−２を収納配置したことにより、１本のケーブルで複数のユーザに配線することができる。
【００２８】
さらにまた、本実施の形態では、収納部２３がセパレータ２５により４分割されているので、光ファイバ１３−１，１３−２、１５−１，１５−２、１７−１，１７−２、１９−１，１９−２に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００２９】
これら８本の光ファイバ１３−１，１３−２、１５−１，１５−２、１７−１，１７−２、１９−１，１９−２の場合には、例えば空隙２７ａ内に収納される光ファイバ１３−１に識別色である「青」色、空隙２７ｂ内に収納される光ファイバ１５−１に識別色である「黄」色、空隙２７ｃ内に収納される光ファイバ１７−１に識別色である「緑」色、空隙２７ｄ内に収納される光ファイバ１９−１に識別色である「赤」色の塗料をそれぞれ塗布するとともに、残りの光ファイバ１３−２，１５−２，１７−２，１９−２にそれぞれ「紫」色の同一色の塗料を塗布することにより、識別用の着色数は５色で済むことになる。
【００３０】
このことから、本実施の形態によれば、光ファイバの心数分のユーザに対して１本のケーブルを敷設すればよいことになり、配線工事コストを削減することができる。また、ケーブルシース２１の収納部２３にセパレータ２５を設けたことにより、このセパレータ２５がケーブル側面に対する補強材となるため、側圧がケーブルに加わったときに潰れにくくなり、光ファイバに側圧が加わることがなくなる。そして、ケーブルが曲げられた場合には、セパレータ２５とケーブルシース２１とのクリアランスで光ファイバが自由に移動することができる。その結果、光ファイバに異常な歪みが加わることがなくなり、損失の増加を未然に防止することが可能となる。
【００３１】
（第２の実施の形態）
図２は、本発明の第２の実施の形態に係る光ドロップケーブル４１の構成を示す断面図である。なお、本実施の形態では、前記第１の実施の形態と同一の部分には、図１と同一の符号を用いて説明する。他の実施の形態も同様である。
【００３２】
図２に示す光ドロップケーブル４１は、図１に示す光ドロップケーブル１１に対して、ケーブルシース４３を形成する際にネック４５を介して支持線としてのテンションメンバ４７を付け加えている。このテンションメンバ４７には、１．２ｍｍの鋼線を使用している。
【００３３】
すなわち、本実施の形態の光ドロップケーブル４１は、ケーブルシース４３の短尺面（以下、短面という。）４３ａにネック４５を介して光ファイバ１３−１，１３−２、１５−１，１５−２、１７−１，１７−２、１９−１，１９−２を支持するテンションメンバ４７が接続されるように、ケーブルシース４３の短面４３ａにネック４５を介してテンションメンバ４７が一体成形されている。
【００３４】
次に、図２を参照して、光ドロップケーブル４１の作用効果について説明する。
まず、図２に示すように、複数の素線又はテープ心線からなる光ファイバ１３−１，１３−２、１５−１，１５−２、１７−１，１７−２、１９−１，１９−２を準備しておく。
【００３５】
次いで、セパレータ２５の略十字形状の隔壁２５ａ，２５ｂがなす空隙２７ａ内に光ファイバ１３−１，１３−２を、隔壁２５ｂ，２５ｃがなす空隙２７ｂ内に光ファイバ１５−１，１５−２を、隔壁２５ｃ，２５ｄがなす空隙２７ｃ内に光ファイバ１７−１，１７−２を、そして隔壁２５ｄ，２５ａがなす空隙２７ｄ内には光ファイバ１９−１，１９−２をそれぞれ収納配置する。
【００３６】
ケーブルシース４３には、収納部２３に対して直交する長面４３ｂに、分割位置を示す略Ｖ字形状のノッチ部３１，３３が切欠き形成され、ケーブルシース４３の収納部２３の断面近傍にケーブルの伸長方向の張力を吸収する抗張力体３５，３７が設けられる。また、ケーブルシース４３を形成する際にネック４５を介してテンションメンバ４７を付け加える。
【００３７】
このように本実施の形態では、収納部２３内においてセパレータ２５の空隙２７ａ〜２７ｄ内にそれぞれ２心ずつ光ファイバ１３−１，１３−２、１５−１，１５−２、１７−１，１７−２、１９−１，１９−２を収納配置して被覆し、また長面４１ｂに収納部２３に対して直交するように、収納部２３の中央部を２分割するための分割位置を示す略Ｖ字形状のノッチ部３１，３３を切欠き形成し、さらにテンションメンバ４７を被覆しているので、支線系に設けられたクロージャ（図示しない）から集合住宅に設けられた光成端箱（図示しない）まで光ドロップケーブル４１を引き込むことができる。
【００３８】
また、集合住宅内では、ノッチ部３１，３３を中心に↑↓方向に逆の力を加えてケーブルシース４３を引き裂いて２分割することができ、光ファイバ１３−１，１３−２、１５−１，１５−２、１７−１，１７−２、１９−１，１９−２を容易に取り出すことができる。
【００３９】
すなわち、ケーブルシース４３は、長面４３ｂにおいてノッチ部３１，３３の切欠き方向に対して互いに逆方向にせん断力を加えることで、ケーブルシース４３を引き裂いて２分割することができる。
【００４０】
また、本実施の形態では、光ドロップケーブル４１を２分割しても、光ファイバ１３−１，１３−２、１５−１，１５−２、１７−１，１７−２、１９−１，１９−２が抗張力体３５，３７を有しているので、ケーブルの伸長方向の張力を吸収することができる。そして、ケーブルシース４３の短面４３ａに接続して光ファイバ１３−１，１３−２、１５−１，１５−２、１７−１，１７−２、１９−１，１９−２を支持するテンションメンバ４７を備えたので、ケーブル自体の引張強度を高めることができ、敷設する際の取扱い性及び信頼性を向上させることができる。
【００４１】
さらに、本実施の形態では、ケーブルシース４３の収納部２３においてセパレータ２５の空隙２７ａ〜２７ｄ内にそれぞれ２心ずつ光ファイバ１３−１，１３−２、１５−１，１５−２、１７−１，１７−２、１９−１，１９−２を収納配置したことにより、１本のケーブルで複数のユーザに配線することができる。
【００４２】
さらにまた、本実施の形態では、収納部２３がセパレータ２５により４分割されているので、光ファイバ１３−１，１３−２、１５−１，１５−２、１７−１，１７−２、１９−１，１９−２に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００４３】
これら８本の光ファイバ１３−１，１３−２、１５−１，１５−２、１７−１，１７−２、１９−１，１９−２の場合には、例えば空隙２７ａ内に収納される光ファイバ１３−１に識別色である「青」色、空隙２７ｂ内に収納される光ファイバ１５−１に識別色である「黄」色、空隙２７ｃ内に収納される光ファイバ１７−１に識別色である「緑」色、空隙２７ｄ内に収納される光ファイバ１９−１に識別色である「赤」色の塗料をそれぞれ塗布するとともに、残りの光ファイバ１３−２，１５−２，１７−２，１９−２にそれぞれ「紫」色の同一色の塗料を塗布することにより、識別用の着色数は５色で済むことになる。
【００４４】
このことから、本実施の形態によれば、光ファイバの心数分のユーザに対して１本のケーブルを敷設すればよいことになり、配線工事コストを削減することができる。また、ケーブルシース４３の収納部２３にセパレータ２５を設けたことにより、このセパレータ２５がケーブル側面に対する補強材となるため、側圧がケーブルに加わったときに潰れにくくなり、光ファイバに側圧が加わることがなくなる。そして、ケーブルが曲げられた場合には、セパレータ２５とケーブルシース４３とのクリアランスで光ファイバが自由に移動することができる。その結果、光ファイバに異常な歪みが加わることがなくなり、損失の増加を未然に防止することが可能となる。
【００４５】
（第３の実施の形態）
図３は、本発明の第３の実施の形態に係る光ドロップケーブル５１の構成を示す断面図である。
図３に示す光ドロップケーブル５１は、図２に示す光ドロップケーブル４１に対して、収納部２３のセパレータ２５の各空隙２７ａ〜２７ｄ内において、光ファイバ１３−１，１３−２、１５−１，１５−２、１７−１，１７−２、１９−１，１９−２の２心ずつにそれぞれ緩衝層５５が縦添えされて配置される。この緩衝層５５は、アラミド繊維、ケブラー繊維またはＰＰヤーンからなる。
【００４６】
ケーブルシース５３は、収納部２３のセパレータ２５の各空隙２７ａ〜２７ｄ内に配置された光ファイバ１３−１，１３−２、１５−１，１５−２、１７−１，１７−２、１９−１，１９−２を緩衝層５５とともに収納して被覆する。
【００４７】
次に、図３を参照して、光ドロップケーブル５１の作用効果について説明する。
まず、図３に示すように、複数の素線又はテープ心線からなる光ファイバ１３−１，１３−２、１５−１，１５−２、１７−１，１７−２、１９−１，１９−２を準備しておく。
【００４８】
次いで、これらの光ファイバ１３−１，１３−２、１５−１，１５−２、１７−１，１７−２、１９−１，１９−２に対して緩衝層５５を縦添えしてケーブルシース５３に設けられた収納部２３のセパレータ２５の各空隙２７ａ〜２７ｄ内にそれぞれ収容配置する。
【００４９】
このケーブルシース５３には、収納部２３に対して直交する長面５３ａに、分割位置を示す略Ｖ字形状のノッチ部３１，３３が切欠き形成され、ケーブルシース５３の収納部２３の断面近傍にケーブルの伸長方向の張力を吸収する抗張力体３５，３７が設けられる。
【００５０】
このように本実施の形態では、収納部２３内においてセパレータ２５の空隙２７ａ〜２７ｄ内にそれぞれ２心ずつ光ファイバ１３−１，１３−２、１５−１，１５−２、１７−１，１７−２、１９−１，１９−２を収納配置して被覆し、また長面５３ｂに収納部２３に対して直交するように、収納部２３の中央部を２分割するための分割位置を示す略Ｖ字形状のノッチ部３１，３３を切欠き形成しているので、ノッチ部３１，３３を中心に↑↓方向に逆の力を加えてケーブルシース２１を引き裂いて２分割することにより、光ファイバ１３−１，１３−２、１５−１，１５−２、１７−１，１７−２、１９−１，１９−２を容易に取り出すことができる。
【００５１】
すなわち、ケーブルシース５３は、長面５３ａにおいてノッチ部３１，３３の切欠き方向に対して互いに逆方向にせん断力を加えることで、ケーブルシース５３を引き裂いて２分割することができる。
【００５２】
また、本実施の形態では、光ドロップケーブル５１を２分割しても、光ファイバ１３−１，１３−２、１５−１，１５−２、１７−１，１７−２、１９−１，１９−２が抗張力体３５，３７を有しているので、ケーブルの伸長方向の張力を吸収することができる。そして、光ファイバ１３−１，１３−２、１５−１，１５−２、１７−１，１７−２、１９−１，１９−２と緩衝層５５とを一体にして収納部２３に収納するので、光ファイバ１３−１〜１３−８に加わる外力を緩衝層５５で緩和することができる。
【００５３】
さらに、本実施の形態では、ケーブルシース４３の収納部２３においてセパレータ２５の空隙２７ａ〜２７ｄ内にそれぞれ２心ずつ光ファイバ１３−１，１３−２、１５−１，１５−２、１７−１，１７−２、１９−１，１９−２を収納配置したことにより、１本のケーブルで複数のユーザに配線することができる。
【００５４】
さらにまた、本実施の形態では、収納部２３がセパレータ２５により４分割されているので、光ファイバ１３−１，１３−２、１５−１，１５−２、１７−１，１７−２、１９−１，１９−２に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００５５】
これら８本の光ファイバ１３−１，１３−２、１５−１，１５−２、１７−１，１７−２、１９−１，１９−２の場合には、例えば空隙２７ａ内に収納される光ファイバ１３−１に識別色である「青」色、空隙２７ｂ内に収納される光ファイバ１５−１に識別色である「黄」色、空隙２７ｃ内に収納される光ファイバ１７−１に識別色である「緑」色、空隙２７ｄ内に収納される光ファイバ１９−１に識別色である「赤」色の塗料をそれぞれ塗布するとともに、残りの光ファイバ１３−２，１５−２，１７−２，１９−２にそれぞれ「紫」色の同一色の塗料を塗布することにより、識別用の着色数は５色で済むことになる。
【００５６】
このことから、本実施の形態によれば、光ファイバの心数分のユーザに対して１本のケーブルを敷設すればよいことになり、配線工事コストを削減することができる。また、ケーブルシース５３の収納部２３にセパレータ２５を設けたことにより、このセパレータ２５がケーブル側面に対する補強材となるため、側圧がケーブルに加わったときに潰れにくくなり、光ファイバに側圧が加わることがなくなる。そして、ケーブルが曲げられた場合には、セパレータ２５とケーブルシース５３とのクリアランスで光ファイバが自由に移動することができる。その結果、光ファイバに異常な歪みが加わることがなくなり、損失の増加を未然に防止することが可能となる。
【００５７】
（第４の実施の形態）
図４は、本発明の第４の実施の形態に係る光ドロップケーブル６１の構成を示す断面図である。
図４に示す光ドロップケーブル６１は、図１に示す光ドロップケーブル１１に対して、収納部２３のセパレータ２５の形状を異なるようにしたものである。すなわち、ケーブルシース６３の収納部２３に収納されるセパレータ６５は、樹脂材としてポリエチレンからなり、略一字形状の隔壁６５ａがなす半円形状の空隙６７ａ，６７ｂがそれぞれ形成される。
【００５８】
光ファイバ１３−１〜１３−４、１５−１〜１５−４は、１心の素線又は２心のテープ心線からなり、ケーブルシース６３に設けられた収納部２３において、セパレータ６５の空隙６７ａ，６７ｂ内にそれぞれ４心ずつ収納配置される。
【００５９】
つまり、空隙６７ａ内には光ファイバ１３−１〜１３−４が、空隙６７ｂ内には光ファイバ１５−１〜１５−４がそれぞれ収納配置されている。その他の構成は前記第１の実施の形態と同様であるので、その説明を省略する。
【００６０】
次に、図４を参照して、光ドロップケーブル６１の作用効果について説明する。
まず、図４に示すように、複数の素線又はテープ心線からなる１３−１〜１３−４、１５−１〜１５−４を準備しておく。
【００６１】
次いで、セパレータ６５の空隙６７ａ内に光ファイバ１３−１〜１３−４を、空隙６７ｂ内には光ファイバ１５−１〜１５−４をそれぞれ収納配置する。
【００６２】
ケーブルシース６３には、収納部２３に対して直交する長面６３ａに、分割位置を示す略Ｖ字形状のノッチ部３１，３３が切欠き形成され、ケーブルシース６３の収納部２３の断面近傍にケーブルの伸長方向の張力を吸収する抗張力体３５，３７が設けられる。
【００６３】
このように本実施の形態では、収納部２３内においてセパレータ６５の空隙６７ａ，６７ｂ内にそれぞれ４心ずつ光ファイバ１３−１〜１３−４、１５−１〜１５−４を収納配置して被覆し、また長面６３ａに収納部２３に対して直交するように、収納部２３の中央部を２分割するための分割位置を示す略Ｖ字形状のノッチ部３１，３３を切欠き形成しているので、ノッチ部３１，３３を中心に↑↓方向に逆の力を加えてケーブルシース６３を引き裂いて２分割することで、光ファイバ１３−１〜１３−４、１５−１〜１５−４を容易に取り出すことができる。
【００６４】
すなわち、ケーブルシース６３は、長面６３ａにおいてノッチ部３１，３３の切欠き方向に対して互いに逆方向にせん断力を加えることで、ケーブルシース６３を引き裂いて２分割することができる。
【００６５】
また、本実施の形態では、光ドロップケーブル６１を２分割してもそれぞれの系統の光ファイバ１３−１〜１３−４、１５−１〜１５−４が抗張力体３５，３７を有しているので、ケーブルの伸長方向の張力を吸収することができる。
【００６６】
さらに、本実施の形態では、ケーブルシース６３の収納部２３においてセパレータ６５の空隙６７ａ，６７ｂ内にそれぞれ４心ずつ光ファイバ１３−１〜１３−４、１５−１〜１５−４を収納配置したことにより、１本のケーブルで複数のユーザに配線することができる。
【００６７】
さらにまた、本実施の形態では、収納部２３がセパレータ６５により２分割されているので、光ファイバ１３−１〜１３−４、１５−１〜１５−４に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００６８】
これら８本の光ファイバ１３−１〜１３−４、１５−１〜１５−４の場合には、例えば空隙６７ａ内に収納される光ファイバ１３−１〜１３−４に識別色である「青」色、「黄」色、「緑」色、「赤」色の塗料を順に塗布するとともに、空隙６７ｂ内に収納される光ファイバ１５−１〜１５−４に識別色である「紫」色、「黄」色、「緑」色、「赤」色の塗料を順に塗布することにより、識別用の着色数は５色で済むことになる。
【００６９】
このことから、本実施の形態によれば、光ファイバの心数分のユーザに対して１本のケーブルを敷設すればよいことになり、配線工事コストを削減することができる。また、ケーブルシース６３の収納部２３にセパレータ６５を設けたことにより、このセパレータ６５がケーブル側面に対する補強材となるため、側圧がケーブルに加わったときに潰れにくくなり、光ファイバに側圧が加わることがなくなる。そして、ケーブルが曲げられた場合には、セパレータ６５とケーブルシース６３とのクリアランスで光ファイバが自由に移動することができる。その結果、光ファイバに異常な歪みが加わることがなくなり、損失の増加を未然に防止することが可能となる。
なお、前記第１〜第３の実施の形態において、セパレータ２５の収納部２３の周方向の設置角度は、耐側圧強度を考慮して所望の角度に設定される。
【００７０】
（第５の実施の形態）
図５は、本発明の第５の実施の形態に係る光ドロップケーブル７１の構成を示す断面図である。
図５に示す光ドロップケーブル７１は、図４に示す光ドロップケーブル６１に対して、ケーブルシース７３を形成する際にネック７５を介して支持線としてのテンションメンバ７７を付け加えている。このテンションメンバ７７には、１．２ｍｍの鋼線を使用している。
【００７１】
すなわち、本実施の形態の光ドロップケーブル７１は、ケーブルシース７３の短面７３ａにネック７５を介して光ファイバ１３−１〜１３−４、１５−１〜１５−を支持するテンションメンバ７７が接続されるように、ケーブルシース７３の短面７３ａにネック７５を介してテンションメンバ７７が一体成形されている。
【００７２】
次に、図５を参照して、光ドロップケーブル７１の作用効果について説明する。
まず、図５に示すように、複数の素線又はテープ心線からなる光ファイバ１３−１〜１３−４、１５−１〜１５−４を準備しておく。
【００７３】
次いで、セパレータ６５の空隙６７ａ内に光ファイバ１３−１〜１３−４を、空隙６７ｂ内に光ファイバ１５−１〜１５−４をそれぞれ収納配置する。
【００７４】
ケーブルシース７３には、収納部２３に対して直交する長面７３ｂに、分割位置を示す略Ｖ字形状のノッチ部３１，３３が切欠き形成され、ケーブルシース７３の収納部２３の断面近傍にケーブルの伸長方向の張力を吸収する抗張力体３５，３７が設けられる。また、ケーブルシース７３を形成する際にネック７５を介してテンションメンバ７７を付け加える。
【００７５】
このように本実施の形態では、収納部２３内においてセパレータ６５の空隙６７ａ，６７ｂ内にそれぞれ４心ずつ光ファイバ１３−１〜１３−４、１５−１〜１５−４を収納配置して被覆し、また長面７３ａに収納部２３に対して直交するように、収納部２３の中央部を２分割するための分割位置を示す略Ｖ字形状のノッチ部３１，３３を切欠き形成し、さらにテンションメンバ７７を被覆しているので、支線系に設けられたクロージャ（図示しない）から集合住宅に設けられた光成端箱（図示しない）まで光ドロップケーブル７１を引き込むことができる。
【００７６】
また、集合住宅内では、ノッチ部３１，３３を中心に↑↓方向に逆の力を加えてケーブルシース７３を引き裂いて２分割することができ、光ファイバ１３−１〜１３−４、１５−１〜１５−４を容易に取り出すことができる。
【００７７】
すなわち、ケーブルシース７３は、長面７３ｂにおいてノッチ部３１，３３の切欠き方向に対して互いに逆方向にせん断力を加えることで、ケーブルシース７３を引き裂いて２分割することができる。
【００７８】
また、本実施の形態では、光ドロップケーブル７１を２分割してもそれぞれの系統の光ファイバ１３−１〜１３−４、１５−１〜１５−４が抗張力体３５，３７を有しているので、ケーブルの伸長方向の張力を吸収することができる。そして、ケーブルシース７３の短面７３ａに接続して光ファイバ１３−１〜１３−４、１５−１〜１５−４を支持するテンションメンバ７７を備えたので、ケーブル自体の引張強度を高めることができ、敷設する際の取扱い性及び信頼性を向上させることができる。
【００７９】
さらに、本実施の形態では、ケーブルシース７３の収納部２３においてセパレータ６５の空隙６７ａ，６７ｂ内にそれぞれ４心ずつ光ファイバ１３−１〜１３−４、１５−１〜１５−４を収納配置したことにより、１本のケーブルで複数のユーザに配線することができる。
【００８０】
さらにまた、本実施の形態では、収納部２３がセパレータ６５により２分割されているので、光ファイバ１３−１〜１３−４、１５−１〜１５−４に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００８１】
これら８本の光ファイバ１３−１〜１３−４、１５−１〜１５−４の場合には、例えば空隙６７ａ内に収納される光ファイバ１３−１〜１３−４に識別色である「青」色、「黄」色、「緑」色、「赤」色の塗料を順に塗布するとともに、空隙６７ｂ内に収納される光ファイバ１５−１〜１５−４に識別色である「紫」色、「黄」色、「緑」色、「赤」色の塗料を順に塗布することにより、識別用の着色数は５色で済むことになる。
【００８２】
このことから、本実施の形態によれば、光ファイバの心数分のユーザに対して１本のケーブルを敷設すればよいことになり、配線工事コストを削減することができる。また、ケーブルシース７３の収納部２３にセパレータ６５を設けたことにより、このセパレータ６５がケーブル側面に対する補強材となるため、側圧がケーブルに加わったときに潰れにくくなり、光ファイバに側圧が加わることがなくなる。そして、ケーブルが曲げられた場合には、セパレータ６５とケーブルシース７３とのクリアランスで光ファイバが自由に移動することができる。その結果、光ファイバに異常な歪みが加わることがなくなり、損失の増加を未然に防止することが可能となる。
【００８３】
（第６の実施の形態）
図６は、本発明の第６の実施の形態に係る光ドロップケーブル８１の構成を示す断面図である。
図６に示す光ドロップケーブル８１は、図４に示す光ドロップケーブル６１に対して、収納部２３のセパレータ６５の各空隙６７ａ，６７ｂ内において、光ファイバ１３−１〜１３−４、１５−１〜１５−４の４心ずつにそれぞれ緩衝層８５が縦添えされて配置される。この緩衝層８５は、アラミド繊維、ケブラー繊維またはＰＰヤーンからなる。
【００８４】
ケーブルシース８３は、収納部２３のセパレータ６５の各空隙６７ａ，６７ｂ内に配置された光ファイバ１３−１〜１３−４、１５−１〜１５−４を緩衝層８５とともに収納して被覆する。
【００８５】
次に、図６を参照して、光ドロップケーブル８１の作用効果について説明する。
まず、図６に示すように、複数の素線又はテープ心線からなる光ファイバ１３−１〜１３−４、１５−１〜１５−４を準備しておく。
【００８６】
次いで、これらの光ファイバ１３−１〜１３−４、１５−１〜１５−４に対して緩衝層８５を縦添えしてケーブルシース８３に設けられた収納部２３のセパレータ６５の各空隙６７ａ，６７ｂ内にそれぞれ収容配置する。
【００８７】
このケーブルシース８３には、収納部２３に対して直交する長面８３ａに、分割位置を示す略Ｖ字形状のノッチ部３１，３３が切欠き形成され、ケーブルシース８３の収納部２３の断面近傍にケーブルの伸長方向の張力を吸収する抗張力体３５，３７が設けられる。また、ケーブルシース７３を形成する際にネック７５を介してテンションメンバ７７を付け加える。
【００８８】
このように本実施の形態では、収納部２３内においてセパレータ６５の空隙６７ａ，６７ｂ内にそれぞれ４心ずつ光ファイバ１３−１〜１３−４、１５−１〜１５−４を収納配置して被覆し、また長面８３ａに収納部２３に対して直交するように、収納部２３の中央部を２分割するための分割位置を示す略Ｖ字形状のノッチ部３１，３３を切欠き形成し、さらにテンションメンバ７７を被覆しているので、支線系に設けられたクロージャ（図示しない）から集合住宅に設けられた光成端箱（図示しない）まで光ドロップケーブル７１を引き込むことができる。
【００８９】
また、集合住宅内では、ノッチ部３１，３３を中心に↑↓方向に逆の力を加えてケーブルシース８３を引き裂いて２分割することができ、光ファイバ１３−１〜１３−４、１５−１〜１５−４を容易に取り出すことができる。
【００９０】
すなわち、ケーブルシース８３は、長面８３ａにおいてノッチ部３１，３３の切欠き方向に対して互いに逆方向にせん断力を加えることで、ケーブルシース８３を引き裂いて２分割することができる。
【００９１】
また、本実施の形態では、光ドロップケーブル８１を２分割してもそれぞれの系統の光ファイバ１３−１〜１３−４、１５−１〜１５−４が抗張力体３５，３７を有しているので、ケーブルの伸長方向の張力を吸収することができる。そして、ケーブルシース８３の短面８３ａに接続して光ファイバ１３−１〜１３−４、１５−１〜１５−４を支持するテンションメンバ７７を備えたので、ケーブル自体の引張強度を高めることができ、敷設する際の取扱い性及び信頼性を向上させることができる。また、光ファイバ１３−１〜１３−４、１５−１〜１５−４と緩衝層８５とを一体にして収納部２３に収納するので、光ファイバ１３−１〜１３−４、１５−１〜１５−４に加わる外力を緩衝層８５で緩和することができる。
【００９２】
さらに、本実施の形態では、ケーブルシース７３の収納部２３においてセパレータ６５の空隙６７ａ，６７ｂ内にそれぞれ４心ずつ光ファイバ１３−１〜１３−４、１５−１〜１５−４を収納配置したことにより、１本のケーブルで複数のユーザに配線することができる。
【００９３】
さらにまた、本実施の形態では、収納部２３がセパレータ６５により２分割されているので、光ファイバ１３−１〜１３−４、１５−１〜１５−４に識別用の着色やマーキングを施す際、１分割部に収納される光ファイバ分と、収納部数マイナス１を加えた数でよい。その結果、同種の色やマークを周期的に繰り返し使用することができるので、色やマークの数を減らすことが可能となるとともに、相互の識別も容易になり配線工事での誤配線を未然に防止することができる。
【００９４】
これら８本の光ファイバ１３−１〜１３−４、１５−１〜１５−４の場合には、例えば空隙６７ａ内に収納される光ファイバ１３−１〜１３−４に識別色である「青」色、「黄」色、「緑」色、「赤」色の塗料を順に塗布するとともに、空隙６７ｂ内に収納される光ファイバ１５−１〜１５−４に識別色である「紫」色、「黄」色、「緑」色、「赤」色の塗料を順に塗布することにより、識別用の着色数は５色で済むことになる。
【００９５】
このことから、本実施の形態によれば、光ファイバの心数分のユーザに対して１本のケーブルを敷設すればよいことになり、配線工事コストを削減することができる。また、ケーブルシース８３の収納部２３にセパレータ６５を設けたことにより、このセパレータ６５がケーブル側面に対する補強材となるため、側圧がケーブルに加わったときに潰れにくくなり、光ファイバに側圧が加わることがなくなる。そして、ケーブルが曲げられた場合には、セパレータ６５とケーブルシース８３とのクリアランスで光ファイバが自由に移動することができる。その結果、光ファイバに異常な歪みが加わることがなくなり、損失の増加を未然に防止することが可能となる。
【００９６】
なお、前記第３〜第６の実施の形態において、セパレータ６５の収納部２３の周方向の設置角度は、耐側圧強度を考慮して所望の角度に設定される。
【００９７】
（第１実施例）
図７は、第１〜第３の実施の形態に示す光ドロップケーブルを敷設した様子を示す概略図である。
図７に示すように、光ネットワークの支線系光ケーブル９１上に設けられているクロージャ９３に接続されている光ドロップケーブルは、他端が光成端箱９５を経由して集合住宅９７の各住宅に設けられたそれぞれのローゼット９９に接続されている。
【００９８】
光成端箱９５から集合住宅９７の１Ｆ（１階）までは、ケーブルシースを裂かずにそのまま敷設されている。
次いで、１Ｆにおいて、ケーブルシースの中央部分に設けられたノッチ部３１，３３から裂いて２分割する。
【００９９】
この時、前記第１〜第３の実施の形態に示す光ドロップケーブル１１，４１，５１に対しては、さらに、ニッパなどの工具を用いてケーブルシースに切り込みを入れて裂けば、光ファイバ１３−１，１３−２、１５−１，１５−２、１７−１，１７−２、１９−１，１９−２を容易に取り出すことができ、そして光ファイバ１３−１，１３−２、１５−１，１５−２、１７−１，１７−２、１９−１，１９−２を必要な長さだけ１Ｆ〜４Ｆに２本ずつ敷設することができる。
【０１００】
（第２実施例）
図８は、第４〜第６の実施の形態に示す光ドロップケーブルを敷設した様子を示す概略図である。前記第１実施例と同一の部分には、同一の符号を付して説明する。
図８に示すように、光ネットワークの支線系光ケーブル９１上に設けられているクロージャ９３に接続されている光ドロップケーブルは、他端が光成端箱９５を経由して集合住宅９７の各住宅に設けられたそれぞれのローゼット９９に接続されている。
【０１０１】
光成端箱９５から集合住宅９７の１Ｆ（１階）までは、ケーブルシースを裂かずにそのまま敷設されている。
次いで、１Ｆにおいて、ケーブルシースの中央部分に設けられたノッチ部３１，３３から裂いて２分割する。
【０１０２】
この時、前記第４〜第６の実施の形態に示す光ドロップケーブル６１，７１，８１に対しては、さらに、ニッパなどの工具を用いてケーブルシースに切り込みを入れて裂けば、光ファイバ１３−１〜１３−４、１５−１〜１５−４を容易に取り出すことができ、そして光ファイバ１３−１〜１３−４、１５−１〜１５−４を必要な長さだけ１Ｆ〜４Ｆに２本ずつ敷設することができる。
【０１０３】
【発明の効果】
請求項１記載の本発明によれば、複数の素線又はテープ心線からなる光ファイバと、略十字形状の隔壁がなす空隙に光ファイバを配置するセパレータと、光ファイバを配置したセパレータを収納する収納部の中央部を２分割するための分割位置を示す略Ｖ字形状のノッチ部を設けた長尺形状のケーブルシースと、ケーブルシースの収納部の近傍に設けられ伸長方向の張力を吸収する抗張力体とを備えたので、光ファイバの心数分のユーザに対して１本のケーブルを敷設すればよいことになり、配線工事コストを削減することができる。
【０１０４】
また、ケーブルシースの収納部に略十字形状のセパレータを設けたことにより、セパレータがケーブル側面に対する補強材となるので、光ファイバに異常な歪みが加わることがなくなり、損失の増加を未然に防止することが可能となる。
【０１０５】
さらに、収納部がセパレータにより分割されているので、光ファイバに識別用の着色やマーキングを施す際、色やマークの数を減らすことが可能となるとともに、相互の識別も容易になり配線工事での誤配線を未然に防止することができる。
【０１０６】
請求項２記載の本発明によれば、複数の素線又はテープ心線からなる光ファイバと、略一字形状の隔壁がなす空隙に光ファイバを配置するセパレータと、光ファイバを配置したセパレータを収納する収納部の中央部を２分割するための分割位置を示す略Ｖ字形状のノッチ部を設けた長尺形状のケーブルシースと、ケーブルシースの収納部の近傍に設けられ伸長方向の張力を吸収する抗張力体とを備えたので、請求項１と同様の効果を奏する。
【０１０７】
請求項３記載の本発明によれば、ケーブルシースの短面に接続して光ファイバを支持する支持線を備えたので、ケーブル自体の引張強度を高めることができ、敷設する際の取扱い性及び信頼性を向上させることができる。
【０１０８】
請求項４記載の発明によれば、光ファイバに縦添えする緩衝層を有し、光ファイバと緩衝層とを一体にして収納部に収納するので、光ファイバに加わる外力を緩衝層で緩和することができる。
【図面の簡単な説明】
【図１】本発明の第１の実施の形態に係る光ドロップケーブルの構成を示す断面図である。
【図２】本発明の第２の実施の形態に係る光ドロップケーブルの構成を示す断面図である。
【図３】本発明の第３の実施の形態に係る光ドロップケーブルの構成を示す断面図である。
【図４】本発明の第４の実施の形態に係る光ドロップケーブルの構成を示す断面図である。
【図５】本発明の第５の実施の形態に係る光ドロップケーブルの構成を示す断面図である。
【図６】本発明の第６の実施の形態に係る光ドロップケーブルの構成を示す断面図である。
【図７】第１〜第４の実施の形態に示す光ドロップケーブルを敷設した様子を示す概略図である。
【図８】第４〜第６の実施の形態に示す光ドロップケーブルを敷設した様子を示す概略図である。
【図９】従来の光ドロップケーブルの構成を示す断面図である。
【符号の説明】
１１，４１，５１，６１，７１，８１　光ドロップケーブル
１３−１，１３−２、１５−１，１５−２、１７−１，１７−２、１９−１，１９−２　光ファイバ
１３−１〜１３−４、１５−１〜１５−４　光ドロップケーブル
２１，４３，５３，６３，７３，８３　ケーブルシース
２１ａ，４３ｂ，５３ａ，６３ａ，７３ｂ，８３ａ　長面
２３　収納部
２５　セパレータ
２５ａ〜２５ｄ　隔壁
２７ａ〜２７ｄ　空隙
３１，３３　ノッチ部
３５，３７　抗張力体
４３ａ，７３ａ　短面
４５，７５　ネック
４７，７７　テンションメンバ（支持線）
５５，８５　緩衝層
６５　セパレータ
６５ａ　隔壁
６７ａ，６７ｂ　空隙
【図１】
2004101625.tif 000003
【図２】
2004101625.tif 000004
【図３】
2004101625.tif 000005
【図４】
2004101625.tif 000006
【図５】
2004101625.tif 000007
【図６】
2004101625.tif 000008
【図７】
2004101625.tif 000009
【図８】
2004101625.tif 000010
【図９】
2004101625.tif 000011